Podtech/llm-jp-corpus-v4-ja_patent huggingface dataset:
(57)【要約】      （修正有）【課題】先端部から頭髪がこぼれ落ちることのない髪止め具を提供する。【解決手段】一方の端部が連結された、上側弾性片２と下側保持片３とで頭髪を挟持する髪止め具１において、上記下側保持片の他方の端部の近傍に、上記上側弾性片の周縁から挟持面側に突出する髪止め板５を備える構成とする。特に。上記髪止め板は、波型状であることが好ましい。この構成により、髪止め具に挟持された頭髪が先端部からこぼれ出ることを防止することができる。【選択図】図１
0003100984.tif 000002
【実用新案登録請求の範囲】
【請求項１】
一方の端部が連結された、上側弾性片と下側保持片とで頭髪を挟持する髪止め具において、
上記下側保持片の他方の端部の近傍に、上記上側弾性片の周縁から挟持面側に突出する髪止め板を備えたことを特徴とする髪止め具。
【請求項２】
上記髪止め板が波型状である請求項１の髪止め具。
【考案の詳細な説明】
【技術分野】
【０００１】
本考案は、髪止め具に関する。
【背景技術】
【０００２】
従来の髪止め具としては、後述の特許文献１に開示されているように、一枚の金属板を打抜成形等によって略山字形に形成し、この山字形金属板の外側の両金属板の先端部を互いの方向に寄せ合わせてリベット等で連結して外側の両金属板に弾性力を付与した座金を構成すると共に、両金属板の中間に位置する金属板を上記座金と対抗する位置に屈曲させて、当該金属板と上記座金とで頭髪を挟持できるようにしたものがある。
【特許文献１】実開昭５２−６６５９３号公報
【考案の開示】
【考案が解決しようとする課題】
【０００３】
しかしながら、上記構成の髪止め具では、頭髪を挟んだときに、髪止め具の連結されていない端部（以下では、先端部と記述する）から頭髪がこぼれ出ることがあった。特に、頭髪が細い場合や、挟んだ頭髪の量が少なかった場合では、このように先端部から頭髪がこぼれ出ることによって髪止め具が頭髪から抜け落ちてしまうことになる。
【０００４】
本考案は、上記従来の事情に基づいて提案されたものであって、先端部から頭髪がこぼれ落ちることのない髪止め具を提供することを目的とする。
【課題を解決するための手段】
【０００５】
本考案は、上記目的を達成するために以下の手段を採用している。すなわち、本考案は、一方の端部が連結された、上側弾性片と下側保持片とで頭髪を挟持する髪止め具において、上記下側保持片の他方の端部の近傍に、上記上側弾性片の周縁から挟持面側に突出する髪止め板を備えた構成としている。
【０００６】
このようにすれば、下側保持片の先端部近傍で上記髪止め板と下側保持片とに挟持された頭髪が確実に髪止め具に保持されるため、頭髪が先端部からこぼれ出ることがない。
【０００７】
特に、上記髪止め板を波型状とすれば、髪止め板と下側保持板の間に挟まれた頭髪を痛めることがない上、波状の凹部に頭髪が確実に保持されるので好ましい。
【考案の効果】
【０００８】
本考案によれば、下側保持片の先端部近傍に、髪止め板を備えているので、髪止め具に挟持された頭髪が先端部からこぼれ出ることを防止することができる。
【考案を実施するための最良の形態】
【０００９】
以下、本考案の実施の形態を図面にしたがって詳細に説明する。なお、図１、図２は、本考案の髪止め具を示す側面図である。なお、図１は、髪止め状態を示しており、図２は、髪止めを解除した状態を示している。
【００１０】
本考案の髪止め具１は、上側弾性片２と下側保持片３とをその一方の端部において、一体的に連結された構成となっている。上側弾性片２は、上記背景技術で説明したように、山字形金属板の外側の両金属板の端部を互いの方向に寄せ合わせてリベット４で連結して構成されている。このように構成することで、上側弾性片２は弾撥力を有し、水平位置を臨界位置として、上方又は下方に弾撥するようになっている。また、下側保持片３は中央部をやや幅細に形成すると共に、その中央部に長孔６を形成してあり、且つその長手方向の中央部に山形の突出部７を設けている。
【００１１】
上側弾性片２と下側保持片３とが髪止め状態となる場合には、図１のように上側弾性片２と下側保持片３とは、両者がほぼ接合状態となる。髪止め状態を解除する場合には、上側弾性片２の長手方向の中央部を下方に押すことによって、図２のように上側弾性片２と下側保持片３とが離れた状態となる。なお、髪止め状態場合、又は髪止め状態を解く場合のどちらの場合であっても、下側保持片３は上側弾性片２の上下方向の弾撥力に応じて接合又は解離するものでありそれ自体の弾撥力はない。
【００１２】
下側保持片３の先端部近傍の上側弾性片２の周縁には、挟持面側に突出する髪止め板５を設けられており、この髪止め板５と下側保持片３とに挟持された頭髪が確実に髪止め具１に保持されるため、頭髪が先端部からこぼれ出ることをなくすことができる。また、この髪止め板５の形状を、側面からみて波形の形状とすれば、より確実に頭髪を挟持することができると共に、先端部への頭髪の移動を防止することができるので、より確実に頭髪のこぼれ出しをなくすことができる。
【図面の簡単な説明】
【００１３】
【図１】本考案の側面図。
【図２】本考案の側面図。
【図３】本考案の下面図。
【符号の説明】
【００１４】
１  髪止め具
２  上側弾性片
３  下側保持片
５  髪止め板
【図１】
0003100984.tif 000003
【図２】
0003100984.tif 000004
【図３】
0003100984.tif 000005
(57)【要約】
【課題】  ビールの王冠の栓抜で一度抜栓すると二度と使用できないためビールを捨てなければならないという無駄を無くすこと。
【解決手段】  図示のごとく天然又は合成ゴムにてキャップとしてゴムの弾力性を応用してなるものにて、栓抜が不用で自由に取付や取り外しができるビールビンのキャップである。
【選択図】  図３
0003100969.tif 000002
【実用新案登録請求の範囲】
【請求項１】
ビールビンの蓋には王冠が使用されているが、本考案は天然ゴム又は合成ゴムによるキャップとしたるビールビン用キャップ。
【考案の詳細な説明】
【技術分野】
【０００１】
本考案は、ビールビンの王冠の代わりとなるものである。
【背景技術】
【０００２】
ビールビンの王冠はビールビンの栓として今まではよいと思っていたのであるが、しかし考えるに、王冠には抜栓には栓抜という道具が必要である。
【０００３】
王冠は、一度抜栓すると二度使用できないので、残りのビールは皆放棄するのである。
【０００４】
この改善策として、図示のごときキャップとし、材質を天然ゴム又は合成ゴムとし、製作は型に嵌めて成形するものである。
【考案の開示】
【考案が解決しようとする課題】
【０００５】
現在のように抜栓に栓抜などの道具を使用する必要をなくす。また、王冠が何度でも使用できるようにする。
【課題を解決するための手段】
【０００６】
本考案は，天然ゴム又は合成ゴムにて成形したるキャップである。
【考案の効果】
【０００７】
本考案は、従来の王冠から見るに栓抜が不用である。常時栓ができるので、現在のようにビールを捨てるようなことがなくなり、節約の効果は膨大である。
【図面の簡単な説明】
【０００８】
【図１】上面図
【図２】側面図
【図３】側断面図
【符号の説明】
【０００９】
１  キャップ
２  ビールビン
３  コルク
４  ゴムバンド
【図１】
0003100969.tif 000003
【図２】
0003100969.tif 000004
【図３】
0003100969.tif 000005
(57)【要約】      （修正有）【課題】紙皿が風にあおられても紙皿や食べ物が下に落ちて廻りの環境を害することも無い紙皿に取付ける錘を提供する。【解決手段】金属製の平らな板１の４方に伸縮性のある紐２を取付けその紐の反対側に開閉できるクリップ３を取付ける。【選択図】図１
0003100961.tif 000002
【実用新案登録請求の範囲】
【請求項１】
金属製の平らな板（１）の４方に伸縮性のある紐（２）を取り付けその端に開閉の出来るクリップ（３）を取り付けた紙皿の錘。
【考案の詳細な説明】
【考案の詳細な説明】
【産業上の利用分野】
【０００１】この考案は屋外で食事をする時に紙皿に取り付ける金属性の錘に関するものである。
【背景技術】
【０００２】従来においては紙皿の片側に取り付ける錘はあった。
【考案が解決しようとする課題】
【０００３】これは次のような欠点があった。
片側に錘のついた紙皿を使用すると風向きによってはあおられ食べ物などが紙皿と一緒に飛び散らかり周囲の環境を害している。
本考案は、この欠点を改善するものである。
【課題を解決するための手段】
【０００４】金属製の平らな板（１）の４方に伸縮性のある紐（２）を取り付けその端に開閉の出来るクリップ（３）を取り付けた紙皿の錘である。
【作用】
【０００５】金属製の板（１）の上に紙皿を置き金属製の板（１）の４方の端に付いている伸縮性の紐（２）の反対側に付いている開閉の出来るクリップ（３）を紙皿の４方に取り付ける。
【実施例】
【０００６】金属製の板（１）の上に紙皿を置き金属製の板の４方から出ている伸縮性の紐（２）の反対側に取付けてある開閉の出来るクリップ（３）の１つを紙皿の周りの部分に取り付ける。そして取付けた反対側のクリップを最初に取付けたクリップから対角になるように紙皿の周りに取付ける。さらに残り２つあるクリップの１つを前に付けたクリップから直角の角度になるように取付け、最後に残ったクリップを対角になるように取付ける。このようにして紙皿の中心に金属製の錘が紙皿の底からずれないように固定する。そして使い終わったら取付けてあった４方のクリップをはずして、紙皿から錘をはずして次回にまた使う。
【考案の効果】
【０００７】紙皿の底に金属製の錘を取付ける事によって紙皿に一定の重さを与える。こうする事で野外で紙皿を使用しても従来のように紙皿が風にあおられず紙皿の中にある食べ物が廻りに飛び散ることも無くなる。この考案によって廻りの衛生環境が改善される。さらに取外しが可能なことにより何度でも使用可能なので資源の節約にもなる。
【図面の簡単な説明】
【図１】本考案の斜視図である。
【図２】本考案の平面図である。
【図３】本考案の使用状態を示す側面図である。
【図４】本考案の使用状態を示す斜視図である。
【符号の説明】
１    金属製の平らな板
２    伸縮性のある紐
３    開閉の出来るクリップ
【図１】
0003100961.tif 000003
【図２】
0003100961.tif 000004
【図３】
0003100961.tif 000005
【図４】
0003100961.tif 000006
(57)【要約】
【目的】  この考案は、日常生活において発生する身体の凝りに関して、自分の手の届く位置の凝りは自分で解決出来るが、自分の手の届かない位置の凝りは第三者の手にかかるか、健康器具を用いても思い通りに解消出来ない。
背面に発生した凝りを自分の手で簡単な棒を用いて軽い運動と共に自分の思い通りに短時間の内に解決する事を目的とするものである。
【構成】  長さ９０センチ程の丸棒の中ほどに背面の椎骨付近を両側から押す為の円盤２個を棒使用中に簡単に位置が変化しない程度に、軋むけれど位置を動かす事が出来る様に構成した凝りをほぐす為に用いる棒。
【選択図】  図１
0003100966.tif 000002
【実用新案登録請求の範囲】
【請求項１】
直径３０ミリ長さ９００ミリ程度の丸棒形態の棒の両端角を面取り加工し直径６５ミリ厚さ１３ミリ程度の２個の円盤の外周を丸く面取りして棒にきしみながらでもはめられる穴を設けて、棒の中心近くに４０ミリ程の間隔をあけて二個の円盤を棒に組み合わせ、必要に応じて円盤の間隔を調節出来る形態に作った、身体の凝りをほぐす為に用いる棒。
【考案の詳細な説明】
【考案の詳細な説明】
【産業上の利用分野】
【０００１】  この考案は、身体の凝りをほぐし、疲労を回復し、柔軟な健康体を維持する為に用いる。
【背景技術】
【０００２】  従来、疲労に因る身体の凝りは、自分の手の届きにくい身体の背面に多く発生するが、凝りを軽減、解消するには第三者の手を煩わせるか健康機器に頼らざるをえなかった。
【考案が解決しようとする課題点】
【０００３】  本考案の凝りをほぐす棒を用いれば、第三者の手を煩わせる事も、苦しい身体で治療を受けに出向く事も無く、自宅でも、職場でも凝りをほぐす棒さえ準備してあれば即座に快適な身体を取り戻せる。
【課題を解決するための手段】
【０００４】  課題を解決する為に、自分で凝りをほぐす棒を用いて軽く動かせばよい。
凝りをほぐす為に用いる棒を手に握った場合、手に馴染みやすい太さにして、直径３０ミリ長さ９００ミリ程度の丸棒形態の棒の両端角を面取り加工し、直径６５ミリ厚さ１３ミリ程度の２個の円盤の外周を丸く面取りして棒にきしみながらでもはめられる穴を設けて、棒の中心近くに二個の円盤を４０ミリ程の間隔をあけて組み合わせ、必要に応じて円盤の間隔を調節出来る形態に作る。
凝りをほぐす為に用いる棒を使用する場合体型に合わせて自分に一番気持ち良く感じられる位置に円盤が接触する様に、円盤の間隔を調節して使用する。
【作用】
【０００５】  棒を背面で水平にして、２個の円盤が背骨の両側の心地よい位置に当たる様にし両肘を背面で曲げて棒を抱えて上下に移動したり、背面を後方に反らしたり、体を左右に回転させて凝りをほぐし、背面上部や首の上部は手を前から回して棒を持ち肩甲骨の周辺は棒を襷掛けに当て回転させて凝りをほぐし、棒を床に置き座布団等を被せ背面を載せて身体を上下に移動して凝りをほぐす。
【実施例】
【０００６】本考案の実施にあたって材質は、木材、合成樹脂、軽い金属パイプ、竹を用いる事が出来、円盤の間隔を合わせて円盤を固定する事も出来る。
【考案の効果】
【０００７】この棒を活用すれば手の届かない背面の凝りを簡単短時間で解消出来る。
【図面の簡単な説明】
【図１】    本考案の平面図
【図２】    本考案の側面図
【符号の説明】
１は丸棒
２は円盤
【図１】
0003100966.tif 000003
【図２】
0003100966.tif 000004
(57)【要約】　　　（修正有）【課題】子供や手の小さい人でも握りやすくしっかりとグリップ部分を把持することができ、かつ、歯に当てる方向を自在に変えることができ、歯磨き中に振動でずれることのないデザイン上スマートな電動歯ブラシを提供する。【解決手段】歯ブラシの把持部となるケース１と、該ケースの先端開口部から延出している歯ブラシ駆動軸２と、上記ケースの内部に収納された駆動モータ３と、該歯ブラシ駆動軸に連結されつつ上記ケースの内部に収納された駆動モータとを備えてなる振動式の電動歯ブラシであって、上記ケースは真球形状、楕円球形状又は卵型形状である。【選択図】　　図１
0003100360.tif 000002
【実用新案登録請求の範囲】
【請求項１】
　歯ブラシの把持部となるケースと、該ケースの先端開口部から延出している歯ブラシ駆動軸と、該歯ブラシ駆動軸に連結されつつ前記ケースの内部に収納された駆動モータとを備えてなる振動式の電動歯ブラシであって、
　前記ケースは真球形状、楕円球形状または卵型形状であることを特徴とする電動歯ブラシ。
【請求項２】
　前記ケース内部に電池が格納され、該電池と前記駆動モータとが歯ブラシの長方向に対して並列に配置されることを特徴とする請求項１記載の電動歯ブラシ。
【考案の詳細な説明】
【技術分野】
【０００１】
　本考案は、電動歯ブラシに関し、特に把持部に特徴を有する電動歯ブラシに関するものである。
【背景技術】
【０００２】
　従来から、電動歯ブラシは駆動モータ及びこの駆動モータの駆動力を伝達する伝達手段を内臓した円筒状のケースの先端開口部から歯ブラシ駆動軸が延出し、この歯ブラシ駆動軸の先端に歯ブラシを装着した構成となっていた（例えば、特許文献１、特許文献２、特許文献３、および特許文献４参照）。
【０００３】
　しかしながら、上記従来の電動歯ブラシには次のような課題がある。駆動モーターと電源とを収納するケースが円筒状に細長いため、引っかかりが無く、歯磨き中に振動ですべりやすい。また、滑りにくくするためにケースの側面にフックを取り付けた提案（特許文献５参照）がなされているが、ケースを握る様にして持つということに変わりなく、コンパクトな歯ブラシとはなっていない。
【特許文献１】特公平６−５７１７４号公報
【特許文献２】実用新案登録第２５３８９７８号公報
【特許文献３】実用新案登録第２５６５８８３号公報
【特許文献４】特許第２８３４９１７号公報
【特許文献５】実開平６−３１３４号公報
【考案の開示】
【考案が解決しようとする課題】
【０００４】
　本考案はこのような問題に対処するためになされたもので、子供や手の小さい人でも握りやすくしっかりとグリップ部分を把持することができ、かつ、歯に当てる方向を自在に変えることができ、歯磨き中に振動でずれることのないデザイン上スマートな電動歯ブラシを提供することを目的とする。
【課題を解決するための手段】
【０００５】
　本考案の電動歯ブラシは、歯ブラシの把持部となるケースと、該ケースの先端開口部から延出している歯ブラシ駆動軸と、該歯ブラシ駆動軸に連結されつつ上記ケースの内部に収納された駆動モータとを備えてなる振動式の電動歯ブラシであって、上記ケースは真球形状、楕円球形状又は卵型形状であることを特徴とする。
　また、上記ケース内部に電池が格納され、該電池と上記駆動モータとが歯ブラシの長方向に対して並列に配置されることを特徴とする。
【考案の効果】
【０００６】
　本考案の電動歯ブラシは、上記の様な構造を有するものであるから、次のような優れた効果をもたらすものである。ケースが球形状となるため子供や手の小さい人でも掴む様に持つことでしっかりとグリップ部分を把持することができるため歯磨き中に振動でずれることがない。ケース全体を包み込む様に掴み把持することができるので手首を僅かに捻るだけで歯に当てる方向を自在に変えることができる。
　また、駆動源である駆動モータと電池とを並列に配置したためケースは球形状になり全長を短くできる。
【考案を実施するための最良の形態】
【０００７】
　本考案の電動歯ブラシの構造を図１に基づいて説明する。図１は本考案の一実施例である球形状ケースを有する電動歯ブラシの一部断面図である。
　図中、１はケース、２は駆動軸、３はモータ、４は電池、５は歯ブラシヘッド、６は植毛部である。
　本発明の電動歯ブラシは、歯ブラシ駆動軸２に連結され、該駆動軸に回転／振動駆動力を与える駆動モータ３と、歯ブラシ駆動軸２に連通し、端部に植毛部６を備えた歯ブラシヘッド５から成り、駆動モータ３および電池４を収納するケース１を真球形状、楕円球形状、又は卵型形状とした。
　モーター３と電池４は並列に配置することとした。図１の配線は並列回路であるが、これを直列回路に変更しても構わない。
　モータ３は偏心分銅付きモータを用いたが振動発生源となるものであれば良い。また、クランク（図示省略）などを用いて駆動軸２を振動させても構わない。
　図１に示す実施例では把持部であるケースを半径４０ｍｍの球形状とし歯ブラシヘッド５と植毛部６の長さを約５０mmとした。
【０００８】
　本考案の他の実施例を図２に示す。ケース１は球形状でなくても良く、図２は卵型形状のケースにモータと電池とを格納したものであり、右手７で掴むように把持したところである。又、ケースは楕円球形状でも同様の効果が得られることが判っている。図示していないが、球状のケースには野球ボールの縫い目模様やサッカーボールの模様など、卵型形状のケースには鶏のイラストなどを入れることでデザインが良くなり視覚効果が増すことが判った。
【０００９】
　本考案に係る電動歯ブラシは、子供や手の小さい人でもボールを掴む様に握ることができるためしっかりとグリップ部分を把持することができ、歯磨き中に振動でずれることがない、また、歯に当てる方向を使い易い任意の角度に自在に変えることができるために歯磨きを容易にすることができる。
【図面の簡単な説明】
【００１０】
【図１】本考案の一実施例に係る球形状の電動歯ブラシの右側面及び一部断面図である。
【図２】本考案の他の実施例に係る卵型形状の電動歯ブラシを右手で掴んだ図である。
【符号の説明】
【００１１】
　１　ケース
　２　駆動軸
　３　モータ
　４　電池
　５　歯ブラシヘッド
　６　植毛部
　７　手
【図１】
0003100360.tif 000003
【図２】
0003100360.tif 000004
(57)【要約】
【課題】測定後の粘着テープをほとんど力を使わずに迅速に取り除くことができ、しかも、アンビルおよび測定子の測定面に粘着材料を残さないような、シックネスゲージを提供する。
【解決手段】シックネスゲージ１のフレーム２の下部にはアンビル５が固定されている。昇降可能なスピンドル３の下端には、アンビル５と向き合うように測定子６が取り付けられている。スピンドル３を上下させることにより、アンビル５および測定子６の相互対向面間に粘着テープを挟み、その厚さを測定することができる。アンビル５および測定子６の相互対向面の少なくとも一方は、セラミックと樹脂との複合体からなる非粘着処理層９によって覆われている。非粘着処理層９は、熱硬化性ケイ素系ポリマーからなる複合体からなる。
【選択図】　図１
0003100354.tif 000002
【実用新案登録請求の範囲】
【請求項１】
フレームと、前記フレームに対して昇降可能に取り付けられたスピンドルと、前記スピンドルを昇降させるための昇降レバーと、前記フレームに固定されたアンビルと、前記スピンドルの下端に取り付けられ測定子にして、前記アンビルとの間でワークを挟むようになされた測定子と、前記スピンドルの変位に関連して前記アンビルと前記測定子との間に挟まれたワークの厚さを表示するための表示部と、を備えてなるシックネスゲージにおいて、
　前記アンビルおよび前記測定子の相互対向面の少なくとも一方が、セラミックと樹脂との複合体からなる非粘着処理層により覆われていることを特徴とする、シックネスゲージ。
【請求項２】
請求項１に記載のシックネスゲージにおいて、前記複合体が熱硬化性ケイ素系ポリマーであることを特徴とする、シックネスゲージ。
【考案の詳細な説明】
【技術分野】
【０００１】
　本考案はワークの厚さを測るためのシックネスゲージに関する。
　シックネスゲージは、フレームと、フレームに対して昇降可能に取り付けられたスピンドルと、スピンドルを昇降させるための昇降レバーと、フレームに固定されたアンビルと、スピンドルの下端に取り付けられ測定子にして、アンビルとの間でワークを挟むようになされた測定子と、アンビルと前記測定子との間に挟まれたワークの厚さを表示するための表示部と、を備えてなる。
【０００２】
　シックネスゲージは、金属、ゴム、プラスチック、紙など、さまざまな種類のワークの厚さを測定することができる。
【背景技術】
【０００３】
　シックネスゲージの用途の一つとして、片面または両面に粘着層を有する粘着テープの厚さの測定がある。粘着テープの厚さ測定は、粘着材料の適正な量の決定のために重要である。
　粘着テープの厚さを測定するときの従来の問題点は、第１に、測定後に粘着テープが金属製のアンビルまたは測定子の測定面に付着してしまうので、これを力で剥がさなくてはならないこととである。問題点の第２は、粘着テープを剥がしたあとのアンビルまたは測定子の測定面上に粘着材料が残ってしまうので、測定の都度、この粘着材料をアルコール等で拭き取る必要があるということである。いずれの問題点も、迅速な測定作業を阻害するものであった。
【０００４】
　アンビルおよび測定子をセラミック製に換えてみても、または、アンビルおよび測定子の相互対向面をフッ素樹脂またはシリコン樹脂の層で覆うようにしてみても、大きな改善はみられなかった。
【考案の開示】
【考案が解決しようとする課題】
【０００５】
　そこで本考案が解決しようとする課題は、測定後の粘着テープをほとんど力を使わずに迅速に取り除くことができ、しかも、アンビルおよび測定子の測定面に粘着材料を残さないような、シックネスゲージを提供することにある。
【課題を解決するための手段】
【０００６】
　上記課題を解決するため、本考案によれば、フレームと、前記フレームに対して昇降可能に取り付けられたスピンドルと、前記スピンドルを昇降させるための昇降レバーと、前記フレームに固定されたアンビルと、前記スピンドルの下端に取り付けられ測定子にして、前記アンビルとの間でワークを挟むようになされた測定子と、前記スピンドルの変位に関連して前記アンビルと前記測定子との間に挟まれたワークの厚さを表示するための表示部と、を備えてなるシックネスゲージにおいて、
　前記アンビルおよび前記測定子の相互対向面の少なくとも一方が、セラミックと樹脂との複合体からなる非粘着処理層により覆われていることを特徴とする、シックネスゲージが提供される。
【０００７】
　前記複合体は、熱硬化性ケイ素系ポリマーとすることができる。
【考案を実施するための最良の形態】
【０００８】
　図１は、本考案によるシックネスゲージの正面図および左側面図を示す。シックネスゲージ１は、フレーム２を有する。フレーム２にはスピンドル３が昇降可能に取り付けられている。スピンドル３は、ピニオン・ラック等の機構を介して昇降レバー４に連結されており、ばね（図示せず）によって下方に付勢されている。昇降レバー４を操作することによって、スピンドル３は上下に動かされる。
【０００９】
　フレーム２の下部にはアンビル５が固定されている。一方、スピンドル３の下端には、アンビル５と向き合うように測定子６が取り付けられている。スピンドル３を上下させることにより、アンビル５および測定子６の相互対向面（測定面）間にワーク（図示せず）を挟み、そのワークの厚さを測定することができる。ワークの厚さは、スピンドル３の変位に関連して表示部７にて表示される。ここでは、スピンドル３の直線変位を機械的に針８の回転変位に変換して示すアナログ式の表示部７が利用されている。スピンドル３の変位を電気的または光学的に検出してデジタル式に示す表示部を利用してもよい。
【００１０】
　アンビル５および測定子６の相互対向面すなわち測定面は、セラミックと樹脂との複合体からなる非粘着処理層９によって覆われている。シックネスゲージ１が、片面にのみ粘着層を有する粘着テープの厚さを測定するのに用いられるのであれば、非粘着処理層９はアンビル５および測定子６の相互対向面の一方のみを覆うようにしてもよい。
【００１１】
　非粘着処理層９は、熱硬化性ケイ素系ポリマーからなる複合体をアンビル５および測定子６の相互対向面に溶射したのちブラスト仕上げすることより形成することができる。他の種類の複合体を使用することも可能である。非粘着処理層９の厚さは１０ミクロン前後とし、表面粗さは２．０プラスマイナス１．０ミクロンとする。
【００１２】
　かかるシックネスゲージを用いてセロハンテープやガムテープなどの粘着テープの厚さを測定した場合、非粘着処理層９の微少な粒子と粘着テープの粘着材料との間の接触面積が非常に小さいため、粘着テープを剥がすときにほとんど力がいらず、測定面には粘着材料が残らない。したがって、測定後の粘着テープを迅速且つきれいに剥がすことができるので、測定作業の効率化を図ることができる。
【図面の簡単な説明】
【００１３】
【図１】（Ａ）は本考案によるシックネスゲージの一実施態様の正面図であり、測定子は下限位置にある。（Ｂ）は同じく左側面図であり、測定子は上方位置にある。
【符号の説明】
【００１４】
１　シックネスゲージ、２　フレーム、３　スピンドル、４　昇降レバー、５　アンビル、６　測定子、７　表示部、８　針、９　非粘着処理層。
【図１】
0003100354.tif 000003
(57)【要約】　　　（修正有）【課題】アルミ箔へのエンボス加工によって、意匠性に優れ、ヘアーライン調の外観の品質が安定し、引っかき滓が発生せずに生産性を向上させて安価に提供出来、鋼板への密着強度にも優れたものとなる。【解決手段】ポリエステルフィルム１の上面にはコーティング層２を設け、下面には印刷コーティング層３を介して、または介することなく接着剤層４を設け、これをヘアーライン調にエンボス加工されたアルミ箔５の上面に接着し、アルミ箔の下面には接着剤層６を介してオレフィンフィルム・アドマー共重合押し出し複合フィルムによる熱可塑性フィルム層７を設ける。【選択図】　　　図１
0003100362.tif 000002
【実用新案登録請求の範囲】
【請求項１】
ポリエステルフィルム（１）の上面にはコーティング層（２）を設け，下面には印刷コーティング層（３）を介して接着剤層（４）を設け，これをヘアーライン調にエンボス加工されたアルミ箔（５）の上面に接着し，アルミ箔（５）の下面には接着剤層（６）を介してオレフィンフィルム・アドマー共重合押し出し複合フィルムによる熱可塑性フィルム層（７）を設けた鋼板用ラミネートフィルム。
【請求項２】
ポリエステルフィルム（１）の上面にはコーティング層（２）を設け，下面には接着剤層（４）を設け，これをヘアーライン調にエンボス加工されたアルミ箔（５）の上面に接着し，アルミ箔（５）の下面には接着剤層（６）を介してオレフィンフィルム・アドマー共重合押し出し複合フィルムによる熱可塑性フィルム層（７）を設けた鋼板用ラミネートフィルム。　
【考案の詳細な説明】
【技術分野】
【０００１】
　この考案は外観上、ヘアーライン調のステンレスと同等若しくは近似したステンレスの風合いを保有した鋼板用ラミネートフィルムに関する
。
【背景技術】
【０００２】
　従来より、ステンレスの風合いを持たせたラミネートフィルムは周知されており、これ等のラミネートフィルムは、各種家電製品、ＡＶ機器、建材用としてステンレスの風合いを有するものとして各部位に使用されている。在来の鋼板用ラミネートフィルムの主たる構成は、上面よりトップコート層、ヘアーライン加工されたポリエステルフィルム、蒸着層、接着剤層、塩化ビニルフィルムとなっているが、ポリエステルフィルムにヘアーライン加工を施した場合には、そのひっかいた滓によって、ゴミが付着したり、傷が生じた外観を呈し、またヘアーライン加工が止まった際には、ヘアーライン調が均一とならず、異質のヘアーライン柄が出現する欠陥を有するものであった。
【考案の開示】
【考案が解決しようとする課題】
【０００３】
　然るにこの考案が茲に開発した鋼板用ラミネートフィルムにあっては、既述従来の欠陥に鑑みて鋭意研究の結果に開発されたものであって、アルミ箔へのエンボス加工によって、意匠性に優れた、またヘアーライン調の外観の品質が安定し、生産性を高めて安価に提供可能となし、密着強度にも優れた鋼板用ラミネートフィルムを提供することを目的とする。
【課題を解決するための手段】
【０００４】
　上記した目的を有効に達成するがために本考案になる鋼板用ラミネートフィルムにあっては、ポリエステルフィルム１の上面にはコーティング層２を設け、下面には印刷コーティング層３を介して接着剤層４を設け、これをヘアーライン調にエンボス加工されたアルミ箔５の上面に接着し、アルミ箔５の下面には接着剤層６を介してオレフィンフィルム・アドマー共重合押し出し複合フィルムによる熱可塑性フィルム層７を設けた鋼板用ラミネートフィルムを特徴としており、またポリエステルフィルム１の上面にはコーティング層２を設け、下面には接着剤層４を設け、これをヘアーライン調にエンボス加工されたアルミ箔５の上面に接着し、アルミ箔５の下面には接着剤層６を介してオレフィンフィルム・アドマー共重合押し出し複合フィルムによる熱可塑性フィルム層７を設けた鋼板用ラミネートフィルムを特徴とするものである。
【考案の効果】
【０００５】
　本考案によれば、アルミ箔へのヘアーライン調エンポス加工によって、意匠性に優れた、また、ヘアーライン調の外観の品質が安定し、引っかき滓が発生せず生産性を高め安価に提供可能となし、密着強度にも優れた鋼板用ラミネートフィルムが得られ、従来意匠性に富んだ鋼板を製造する二は、直接、鋼板に様々な加工を施さなければならなかったが、意匠性の選択肢が限られたり、生産性に乏しい為、コストが割高になる等のデメリットが有った。この考案では、高意匠性フィルムをロール物で製造供給し、鋼板との接着工程の生産効率を高める事により大幅なコストダウンが実現可能となったものである。　　　　　　　　　　　　　　　　　　　　　　　　　　　　　　　　　　
【実施例】
【０００６】
　次いでこの考案になる鋼板用ラミネートフィルムに関する実施の一例について詳述する。
【０００７】
　厚さ２５〜７５μのポリエステルフィルム１の上面に、２〜５μの耐薬品性、耐磨耗性、光沢、艶消し効果を有したコーティング層２を設ける。該ポリエステルフィルム１の下面に、１〜３μの印刷コーティング層３を設けて所望の意匠性を備えた鋼板用ラミネートフィルムとしても応用出来る。
【０００８】
　斯かる構成のポリエステルフィルム１の下面に、厚さ９〜２５μのヘアーライン調にエンボス加工されたアルミ箔５を形成するのであるが、その際、アルミ箔５のエンボスによる凹凸柄を３〜１０μのニ液硬化型接着剤層４および６にてカバーリングし、安定性のある立体的な意匠性を確保することが出来る。
【０００９】
　アルミ箔５の下面には、前記ニ液硬化型の接着剤層６を介して、厚さ５０〜１００μのオレフィンフィルム・アドマー共重合押し出し複合フィルムによる熱可塑性フィルム層７を設けて、これにより接着剤層８を介して、鋼板９に熱圧着した際には、鋼板９との接着強度の向上が図れ、また最外層にアドマーフィルム層を設けて、従来のＰＶＣフィルムに見られた接着不良の問題を解消することが出来る。更には昨今の環境問題に配慮し、燃焼時にハロゲン等の有害物質が発生しないオレフィンフィルムを使用するものである。
【図面の簡単な説明】
【００１０】
【図１】鋼板用ラミネートフィルムの断面図である。
【符号の説明】
【００１１】
　　　　１　　ポリエステルフィルム
　　　　２　　コーティング層
　　　　３　　印刷コーティング層
　　　　４　　接着剤層
　　　　５　　アルミ箔
　　　　６　　接着剤層
　　　　７　　熱可塑性フィルム層
　　　　８　　接着剤層
　　　　９　　鋼板
【図１】
0003100362.tif 000003
(57)【要約】　　　（修正有）【課題】頭に装着したまま寝るときでも痛くなく、また携帯に便利なヘアカーラーを提供する。【解決手段】弾力性のある網の周囲をほつれないように布で覆って接着し丸めて構成した芯体３と、中空円筒形状のスポンジ４とで構成される。この芯体を中空円筒形状のスポンジ内に挿入してヘアカーラーを構成し、このヘアカーラーに髪の毛を巻きつけて、市販のヘアピンで髪の毛を止める。【選択図】図２
0003100323.tif 000002
【実用新案登録請求の範囲】
【請求項１】
　（１）弾力性のある網２の周囲がほつれないように、布１で覆う。
　（２）接着剤などで網２と布１とを接着し、これを丸めて芯体３を作る。
　（３）中空円筒形状のスポンジ４内にこの芯体３を挿入することにより構成したヘアカーラー
【考案の詳細な説明】
【考案の詳細な説明】
【技術分野】
【０００１】　本考案はヘアカーラーに係わり、さらに詳しくは、頭に装着したまま寝るときでも痛くなく、また携帯に便利なヘアカーラーに関するものである。
【背景技術】
【０００２】　ヘアカーラーとしては、従来は主として硬質のプラスチック等の芯体を中空円筒状のプラスチック、スポンジ等でカバーしたものが一般的であり、次のような出願がある。特開２００１−２７５７３６、特開２００１−３７５２７、特開２００１−３７５２８、特開平９−２９９１３０、特開平１０−２１５９４０、特開２０００−６０６２８、実開平７−２７４０１等は、このタイプに属するもので、いずれも硬質のプラスチック等の芯体あるいは固定具を使用している。
【考案の開示】
【考案が解決しようとする課題】
【０００３】　プラスチック等の硬質の材質を使用すると、就寝中に固いものが頭にあたり痛いために、就寝が妨げられるという欠点があった。また一般的にヘアカーラーは多数使用するために、旅行に持っていくときには非常にかさばり重いという欠点があった。
【課題を解決するための手段】
【０００４】　本考案のヘアカーラーは、弾力性のある網状のものの周囲をほつれないように布で覆って接着し丸めて構成した芯体と、中空円筒形状のスポンジとで構成される。この芯体を中空円筒形状のスポンジ内に挿入してヘアカーラーを構成し、このヘアカーラーに髪の毛を巻きつけて、市販のヘアピンで髪の毛を止める。なおこの芯体の網の周囲をほつれないように接着剤等で止めることによって、特に周囲を布で覆わなくても同じ効果が得られる。
【考案の効果】
【０００５】　本考案のヘアカーラーは、芯体が弾力性のある材質であるために、頭につけて寝ても痛くなく、また旅行の時にバッグに入れても少し潰れるためにかさばらないという効果がある。また製作が非常に容易であるために、安く製作できるというメリットがある。
【考案を実施するための最良の形態】
【０００６】　本考案のヘアカーラーの実施の形態を図で説明する。このヘアカーラーの芯体は図１に示す弾力性のあるポリエステルやナイロン製などの網２の周囲がほつれないように、ナイロン、ポリエステル又は綿などでできた布１で覆う。そのために、布１の四辺を折り曲げ、接着剤などで網２と布１とを接着する。この接着したものを丸めて芯体３を作る。図２に示すように、この芯体３を中空円筒形状のスポンジ４の中に挿入して、ヘアカーラーを作る。このヘアカーラーを髪の毛に巻き付けてから市販のヘアピンなどで髪の毛を止める。
　なおこの芯体の網の周囲をほつれないように接着剤等で止めることによって、特に網の周囲を布で覆わなくても同じ効果が得られる。また芯体の網の代わりに、弾力性のあるスポンジを使用しても、同じ効果が得られる。
【図面の簡単な説明】
【０００７】
【図１】　本考案の実施例を示す網と布の平面図および芯体の斜視図
【図２】　芯体を中空円筒状スポンジ内に挿入するヘアカーラーの斜視図
【符号の説明】
　１は布
　２は網
　３は芯体
　４は中空円筒状スポンジ
【図１】
0003100323.tif 000003
【図２】
0003100323.tif 000004
(57)【要約】
【課題】水の流れを回転力に変えるための装置としてプロペラ型のスクリューが一般的であったが、水流の方向に回転面を直角に向けなければならず、渦をまいたりたびたび流れの方向が変わる水流等に対しては効果的なエネルギーの抽出が難しく、装置が大型になり複雑な制御が必要になる等の問題点があった。
【解決手段】
水流に対して垂直の回転軸を持つ水車に、３ないし５枚のメッシュ羽を垂直に設け、当該メッシュに外側から中心に向かって順次覆い被さるように可動弁を開閉自在に設け、どの方向からの水流に対しても回転面の左半分にある羽の可動弁だけが水流に押されて閉となり、同時に右半分にある羽の可動弁は水流に押されて開となるよう設計した自動シャッター式のメッシュ羽が、水流から左半分だけエネルギーを受け、右半分はエネルギーを受け流す為右回りの回転力を得ることができるようにした水車を製作する。
【選択図】　　　図１
0003100326.tif 000002
【実用新案登録請求の範囲】
【請求項１】
水流に対して垂直の回転軸を持つ水車に３ないし５枚のメッシュ羽を垂直に設け、当該メッシュの回転面が水流に対して左半分だけ閉となり右半分では開となる可動弁を開閉自在に設け、全方位からの水流に対して回転力を得ることを特徴とする水車。
【考案の詳細な説明】
【技術分野】
【０００１】
　本考案は、水中にあって水の流れを受け止め回転力に変える水車に関するものである。
【背景技術】
【０００２】
　河川や潮の流れを利用して発電しようとする場合、ダムを作りタービンを回したり、水中に設置したスクリュー等で回転運動に変え電力を得る等の方法がとられるのが一般的であった。
【考案の開示】
【考案が解決しようとする課題】
【０００３】
　従来、水の流れを回転力に変えるための装置としてプロペラ型のスクリューが一般的であったが、水流の方向に回転面を直角に向けなければならず、渦をまいたりたびたび流れの方向が変わる水流等に対しては効果的なエネルギーの抽出が難しく、装置が大型になり複雑な制御が必要になる等の問題点があった。
　本考案が解決しようとする課題は、構造が単純でどの方向からの水流に対してもエネルギーの抽出ができ、複雑な制御を必要とすることなくコンパクトな装置で回転力を得ることができ、水車の製造コストを下げることである。
【課題を解決するための手段】
【０００４】
水流に対して垂直の回転軸を持つ水車に、３ないし５枚のメッシュ羽を垂直に設け、当該メッシュに外側から中心に向かって順次覆い被さるように可動弁を開閉自在に設ける。
どの方向からの水流に対しても、回転面の左半分にある羽の可動弁だけが水流に押されて閉となり、同時に右半分にある羽の可動弁は水流に押されて開となるよう設計した自動シャッター式のメッシュ羽が、水流から左半分だけエネルギーを受け、右半分はエネルギーを受け流す為右回りの回転力を得ることができるようにした前記１）、の水車を利用する。
【考案の効果】
【０００５】
　以上の様に本考案によれば、自然界に無尽蔵に存在する水の流れが持つエネルギーに焦点を絞り、流れの向きに関わり無く水中で回転力に変換し発電することができる。
【考案を実施するための最良の形態】
【０００６】
　本考案は、河川底部や浅瀬となっている海底部（水深２0ｍ〜３０ｍ）に垂直軸型水車を設置し、水流から回転エネルギーを取り出し発電する事を可能にした。
　本考案では、一定方向からの水流に対して垂直の回転軸を持つ水車に均等に水圧がかかり、左半分が水圧を受け右半分が水圧を受け流す為、右方向の回転力を売るのが特徴である。　また、水流の向きが変わり逆方向からの流れになったとしても上記と同じ回転力を得る事ができる。
【実施例】
【０００７】
　以下、本考案の実施例を図面に基づいて説明する。　河川底部や浅瀬となっている海底部（水深２0ｍ〜３０ｍ）に垂直軸型水車を設置した例である。
【産業上の利用可能性】
【０００８】
発電は電力会社のみならず、一般の事業所や団体等で行うことが可能になった現在、水量の豊富な河川や潮流に恵まれた海岸線近くで低コストの発電ができるなら、このシステムを導入する事業者は多いと思われる。　水流のある限り休みなく発電ができ、エネルギーという経済価値を生みつづけるからである。
【図面の簡単な説明】
【０００９】
　図１は実施例の全体概要図である。
　図中１は垂直回転軸、２はメッシュ羽、３は可動弁、４は変速機である。
【図１】「水車を示した斜視図である。」
【図２】「水車を示した平面図である。」
【図３】「水車を示した側面図である。」
【符号の説明】
【００１０】
　１　　垂直回転軸　　
　２　　メッシュ羽　　　
３　　可動弁
４　　変速機
【図１】
0003100326.tif 000003
【図２】
0003100326.tif 000004
【図３】
0003100326.tif 000005
(57)【要約】　　　（修正有）【課題】金属でできたホイッスルの吹き込み口は口当たりが悪く、冬など氷点下では唇に張りついたり、夏は雑菌が心配などの欠点があったが、これらの問題点を解消できるホイッスル用マウスピースを提供する。【解決手段】抗菌剤が入った軟質のシリコンゴムでできた概角柱もしくは概円筒型の筒体で、その吹き込み口開口部には吹き込み口７が突き当たり係止する全周のストッパーを有していて、金属製で通常タイプのホイッスル１や単管ホイッスル、多管ホイッスル等の吹き込み口７に被せて使用できるように構成されてなる。【選択図】図１
0003100322.tif 000002
【実用新案登録請求の範囲】
【請求項１】
　抗菌剤が入った軟質のシリコンゴムでできた概角柱もしくは概円筒型の筒体で、その吹き込み口開口部（９）には吹き込み口（７）が突き当たり係止する全周のストッパー（８）を有していて、金属製で通常タイプのホイッスル（１）や単管ホイッスル（２）、多管ホイッスル（３）等の吹き込み口（７）に被せて用いる夏にも衛生的で冬にも唇に張りつかず使用感にすぐれたホイッスル用マウスピース（４、５、６）。
【考案の詳細な説明】
【考案の詳細な説明】
【産業上の利用分野】
【０００１】　本考案は、金属製のホイッスルの吹き込み口に被せる軟質のマウスピースに係るものである。
【背景技術】
【０００２】　従来、ホイッスルには各種のものが存在したが、本考案の主旨から金属製のホイッスルに関していえば、そのいずれも音質や音響の関係ですぐれておりスポーツや警察、学校、その他最近では地震対策など安全用品としても使用されている。種類としては中にボールなどの回転体が入った一般的なホイッスルから単管ホイッスル、パイプが３本等の多管ホイッスルが代表的なもので、いずれも唇にくわえて息を吹き込む方式である。他には電子式等人工的な発音タイプもあるがここでは取り上げない。近年のクリーン志向に応えて抗菌剤が入った樹脂製のものもあり、金属表面に特殊コーティングするというものもみられる。
【考案が解決しようとする課題】
【０００３】　従来の技術でも述べた様に、ホイッスル特に金属製のものはその音質や音響特性から広く愛用されてきた。しかしその結果、口にくわえるときに歯が当たったり、くわえ続けると顎が疲れたり、冬には氷点下になるとホイッスルに唇が張りついたりするなど問題があった。又、夏には雑菌も繁殖するなど衛生的にも悩みがあった。
【課題を解決するための手段】
【０００４】　上記目的を達成するために本考案におけるホイッスル用マウスピースは、抗菌剤が入った軟質のシリコンゴムを用いてホイッスルの吹き込み口に被せられるように筒状にするが、ホイッスルには中に回転体が入った通常のものや外観上１本のパイプでできた単管タイプ、多管タイプがある。通常のものや多管タイプの吹き込み口は吹き込み口が断面が角型でほぼ同形状だが、単管タイプは吹き込み口の断面が円形であり、別種のものを用意する。いずれも吹き込み口の端部がマウスピース内部のストッパーに突き当たるような形で被せられなければならない。そして、簡単に脱落しないようにそれぞれの吹き込み口の寸法より小さめにする。つまり、延ばして被せるようにする野が望ましい。シリコンゴムの厚さは１ｍｍ程度とし、形状は吹き込み口の形状を倣うように形成されるのが好ましい。抗菌性能を付与するには銀系抗菌剤を使用するのが望ましい。シリコンゴムには各種着色もできる。
【作用】
【０００５】　以上のごとく考案された本考案のホイッスル用マウスピースは、シリコンゴムを用いることでホイッスルの吹き込み口とのフィット性がよく、多少寸法の差異があってもフィットできる。マウスピース内部のストッパーにより唇が直接ホイッスル本体に触れるのを防止できる。シリコンゴムには高い断熱作用があり抗菌剤により雑菌の繁殖を抑制できる作用はもちろんである。シリコンゴムに着色すれば美的作用もある。
【実施例】
【０００６】　実施例について図面を参照して説明する。
　図１から図７において、ホイッスル用マウスピース４、５、６はシリコンゴムを用いて各種ホイッスルの形状にあわせて金型で形成されるが、抗菌剤として抗菌セラミックスである銀系無機抗菌剤を配合する。厚さは１ｍｍ程度にし、対象ホイッスルの寸法より１０〜１５％小さくする。ストッパー８は金属の板厚にあわせてそれ以上厚くしない。そうしなければ、マウスピースも振動して音質に影響を与えるからである。単管のホイッスル用マウスピース５はテーパ型にするのが望ましい。通常のホイッスル用及び多管ホイッスル用には共通でもかまわないが断面をややテーパにするのが望ましい。シリコンゴムは着色透明だと金属のメタル感が生かされて好ましい。又、最初からホイッスルに装着して販売しても、単独で販売してもかまわないが、購入者が自分で装着するのが最も衛生的であろう。
【考案の効果】
【０００７】　本考案は、上述の通り構成されているので、以下に記載するような効果を奏する。
【０００８】　本考案のホイッスル用マウスピースは、シリコンゴムを用いることでホイッスルの吹き込み口とのフィット性が良く、既成のホイッスルにも装着できる。しかも口当たりが良好で、特に寒冷地での野外使用には唇の張りつきを防止できるので使用者の悩みを改善できる。抗菌剤により雑菌の繁殖を抑制できるので安心して使用できる効果がある。シリコンゴムに着色すればデザイン的効果も期待できるし、パーソナルな使用にも区別しやすい。
【図面の簡単な説明】
【０００９】
【図１】　ホイッスル用マウスピースを装着したホイッスルの斜視図である。
【図２】　ホイッスル用マウスピースを装着した単管ホイッスルの斜視図である。
【図３】　ホイッスル用マウスピースを装着した多管ホイッスルの斜視図である。
【図４】　図１及び図３に示したホイッスル用マウスピースの斜視図である
【図５】　図２に示したホイッスル用マウスピースの斜視図である。
【図６】　図４に示したホイッスル用マウスピースの断面である。
【図７】　図５に示したホイッスル用マウスピースの断面である。
【符号の説明】
　１　ホイッスル
　２　単管ホイッスル
　３　多管ホイッスル
　４　ホイッスル用マウスピース
　５　ホイッスル用マウスピース
　６　ホイッスル用マウスピース
　７　吹き込み口
　８　ストッパー
　９　吹き込み口開口部
【図１】
0003100322.tif 000003
【図２】
0003100322.tif 000004
【図３】
0003100322.tif 000005
【図４】
0003100322.tif 000006
【図５】
0003100322.tif 000007
【図６】
0003100322.tif 000008
【図７】
0003100322.tif 000009